(57)【要約】
【課題】価格を抑え、且つ点滴注射の安全性と便利性を高めて看護の効率を上げるべく、薬剤点滴注射の自動検知とアラーム装置を提供する。
【解決手段】流量可視筒体５２上の適当な個所に挟設するべく設けた該挟持ホルダ１０上には電子式検知装置２０を設け、更にアラーム装置３０を連結し、該流量可視筒体５２内の薬剤が滴り落ちる下方に設けられたキャリア４１が該薬剤の滴りを受けることで繰り返し揺れ動き、同時に該検知装置２０が間欠性を以って遮断されるため、使用時に点滴が毎分滴り落ちる回数と量を流量調整コントローラ５４によって設定した後、該キャリア４１が検知装置２０に対し一定の間欠性を以って遮断する効果を提供し、且つ電子コントローラにより該回数と流量が計算され、該アラーム装置３０のモニタ上にこれを映し出す。
【選択図】        図１
0003100602.tif 000002
【実用新案登録請求の範囲】
【請求項１】
主に検知装置と連結されるアラーム装置及びキャリア揺り動かし装置とより構成される薬剤点滴注射の自動検知とアラーム装置において、
薬剤点滴注射の流量可視筒体外側に設置されており、流量可視筒体を圧力によって変形させることなく、且つ受信機と発信機を設置する個所が設けられている挟持ホルダと、
該検知装置と導線によって連結されて該検知装置のシグナルを受信し、内部には電子コントロール回路が設けられて検知と設定の機能を具有するアラーム装置と、
前記流量可視筒体内の薬剤出口管下方に設けられており、キャリアと槓桿構造を具有し、薬剤が該薬剤出口管より滴り落ちるとき、該キャリアの片側にぶつかり、該キャリアにてこの原理による揺れを生じさせるキャリア揺り動かし装置と、を具有し、
使用時には薬剤が毎分に滴り落ちる回数と流量が、流量調整コントローラによって設定されると、薬剤の滴りを受けて該キャリアに一定の頻度で揺れが生じ、該検知装置に一定の頻度で間欠性を以って遮断効果が生まれ、電子コントロール回路が毎分の滴り落ちる回数及び流量を設定及び検知し、滴り落ちる回数や流量が異常であり、ある一定の時間これが持続すると、自動で該アラーム装置が駆動することを特徴とする薬剤点滴注射の自動検知とアラーム装置。
【請求項２】
前記検知装置は赤外線、磁波、或いはレーザーによる発信機と受信機であることを特徴とする請求項１記載の薬剤点滴注射の自動検知とアラーム装置。
【請求項３】
前記アラーム装置はブザーや発光ダイオード、点滅するランプなどによるアラームとし、更に赤外線伝送や無線伝送システムによって、アラームシグナルがその他のアラーム装置やナースステーションに伝送されることを特徴とする請求項１記載の薬剤点滴注射の自動検知とアラーム装置。
【請求項４】
前記アラーム装置は、スイッチとモニタが設置されており、電子コントロール回路が併用されることを特徴とする請求項１記載の薬剤点滴注射の自動検知とアラーム装置。
【考案の詳細な説明】
【技術分野】
【０００１】
本考案は薬剤点滴注射の自動検知とアラーム装置に係り、特に流量可視筒体内に槓桿動作をするキャリアを設け、間欠性を以って滴る薬剤の重力により、繰り返し揺れ動き、検知装置に間欠遮断作用がある場合に、点滴が毎分に滴り落ちる一定の回数及び量が検知され、異常なときには自動でアラームが作動する薬剤点滴注射の自動検知とアラーム装置に係わる。
【背景技術】
【０００２】
現在医療現場において使用されている薬剤点滴用の注射は、点滴材を注射する看護の仕事において、特に薬剤が全部使い終わったのを知る方法は、目視に頼る他、以下のような方法がある。
例えば、電子機器を利用して点滴注射の時間と量をコントロールするようになっているが、これは一般の病院などでは特殊薬剤における注射時間とその量をコントロールする必要がある際にこれが利用されているのみである。また、誘導回路とアラーム装置の連結による「誘導針」が直接薬剤の容器内に設けられているものもある。この他にも、薬剤容器内の液面の高度をモニタリングする方法や、電子による点滴制御法も開発されており、これらは皆薬剤が使い終わるとアラームが自動で鳴るようになっている。
【特許文献１】ヨーロッパ特許  第EP３７０６４A1号公報  「Method and apparatus for monitoring the level of the contents in a container」
【特許文献２】アメリカ特許  第６，３３７，６３１B1号公報
【考案の開示】
【考案が解決しようとする課題】
【０００３】
しかし、上述のような公知の方法によると、先ず体積が大きく価格が高価であることから一般に普及させるのが難しいこと、また上述中の誘導針を利用したものでは針が薬剤と接触する方法を取っているため不衛生であること、また薬剤容器内の液面の高度をモニタリングする方法においても、使用上不便な点が多々ある。
上述の欠点に鑑み、価格を抑え、且つ点滴注射の安全性と便利性を高めて看護の効率を上げるべく、本考案の薬剤点滴注射の自動検知とアラーム装置を提供する。
【課題を解決するための手段】
【０００４】
前記課題を解決すべく、本考案は、挟持ホルダで流量可視筒体上の適当な個所に挟設できるようにし、該挟持ホルダ上には電子式検知装置を設け、更にこれにアラーム装置を連結し、該流量可視筒体内の薬剤が滴り落ちる下方には槓桿動作をするキャリアを設け、該キャリアが該薬剤の滴りを受けることで重量がかかって繰り返し揺れ動くようにし、同時に該検知装置を間欠性を以って遮断するため、使用時に点滴が毎分に滴り落ちる回数と量を流量調整コントローラによって設定した後、該キャリアが検知装置に対し一定の間欠性を以って遮断する効果を提供し、且つ電子コントローラにより毎分滴る回数と流量が計算され、該アラーム装置のモニタ上にこれを映し出し、滴る回数と流量が異常であるときに自動でアラームが発せられるようにする。
【０００５】
すなわち、請求項１の考案は、主に検知装置と連結されるアラーム装置及びキャリア揺り動かし装置とより構成される薬剤点滴注射の自動検知とアラーム装置において、
薬剤点滴注射の流量可視筒体外側に設置されており、流量可視筒体を圧力によって変形させることなく、且つ受信機と発信機を設置する個所が設けられている挟持ホルダと、
該検知装置と導線によって連結されて該検知装置のシグナルを受信し、内部には電子コントロール回路が設けられて検知と設定の機能を具有するアラーム装置と、前記流量可視筒体内の薬剤出口管下方に設けられており、キャリアと槓桿構造を具有し、薬剤が該薬剤出口管より滴り落ちるとき、該キャリアの片側にぶつかり、該キャリアにてこの原理による揺れを生じさせるキャリア揺り動かし装置と、を具有し、使用時には薬剤が毎分に滴り落ちる回数と流量が、流量調整コントローラによって設定されると、薬剤の滴りを受けて該キャリアに一定の頻度で揺れが生じ、該検知装置に一定の頻度で間欠性を以って遮断効果が生まれ、電子コントロール回路が毎分の滴り落ちる回数及び流量を設定及び検知し、滴り落ちる回数や流量が異常であり、ある一定の時間これが持続すると、自動で該アラーム装置が駆動することを特徴とする薬剤点滴注射の自動検知とアラーム装置である。
【０００６】
請求項２の考案は、前記検知装置は赤外線、磁波、或いはレーザーによる発信機と受信機であることを特徴とする請求項１記載の薬剤点滴注射の自動検知とアラーム装置である。
請求項３の考案は、前記アラーム装置はブザーや発光ダイオード、点滅するランプなどによるアラームとし、更に赤外線伝送や無線伝送システムによって、アラームシグナルがその他のアラーム装置やナースステーションに伝送されることを特徴とする請求項１記載の薬剤点滴注射の自動検知とアラーム装置である。
請求項４の考案は、前記アラーム装置は、スイッチとモニタが設置されており、電子コントロール回路が併用されることを特徴とする請求項１記載の薬剤点滴注射の自動検知とアラーム装置である。
【考案の効果】
【０００７】
本考案によると、薬剤の一分間に流れる量や滴り落ちる回数が検知され、且つ異常発生時や薬剤の使用完了時にアラームが発せられるようになり、病人看護の際の安全性と効率を上げることに役立ち、経済的にも有利であるという効果を有する。                  
【考案を実施するための最良の形態】
【０００８】
本発明の好適な実施例を図に沿って説明する。図１，２，３に示すように、本考案の実施例には、挟持ホルダ１０や該挟持ホルダ１０内部に設けられた検知装置２０、該検知装置２０と連結されているアラーム装置３０、及びキャリア揺り動かし装置４０などが含まれる。該挟持ホルダ１０は薬剤注射装置５０中の流量可視筒体５２上の適当な位置に挟設されており、且つ該流量可視筒体５２は圧力を受けて変形しないものとする。一般に該薬剤注射装置５０には薬剤容器５１，流量可視筒体５２，チューブ５３，流量調整コントローラ５４，注射針５５などが設けられている。
【０００９】
該挟持ホルダ１０の本体は必要に応じて多様にデザインされるものとし、且つ該挟持ホルダ１０は該流量可視筒体５２外側に挟設されている、或いは取り外しのできるタイプとし、操作が簡単且つ繰り返し使用できるようにする。適当な大きさのスプリング、及び図１に示すようにクリップ１１上に円弧型挟持個所を設けると、該クリップ１１が開かれると同時に該流量可視筒体５２外側に固定される。また該クリップ１１の外側には発信機２１と受信機２２の水平且つ相対する位置に標示線１３を設けることで、簡易定位挟持位置を提供し、挟持後は目視で該流量可視筒体５２内部の薬剤が点滴される様子が伺えるようになっている。
【００１０】
該検知装置２０は、該挟持ホルダ１０両側のクリップ１１が相対する位置に設置され、その検知機能においては一般の赤外線の発信と受信の原理を基に設計されたものであるが、必要に応じて赤外線以外にも、磁波、レーザーなどの異なる方式の発射と受信を利用したものとしてもよい。また該検知装置２０は該発信機２１と該受信機２２をそれぞれ該クリップ１１内部に設置するが、該発信機２１が透明の該流量可視筒体５２を隔てて該受信機２２に対し直射する形態となる（図４参照）。また該アラーム装置３０内には相関する電子コントロール線路を設け、且つ外接したスイッチ３１によってコントロールする、或いはデータをモニタ３２上に映し出し、これを使用者が操作の参考にするものとする。
【００１１】
該キャリア揺り動かし装置４０においては、該流量可視筒体５２内の液体出口管５２１下方に設置されており、その設置方法においては特に制限はないが、該流量可視筒体５２内の一定のある高さに定位されているものとする。また該キャリア揺り動かし装置４０は主にキャリア４１、及び該キャリア４１に揺れを生じさせる槓桿構造４２が設けられており、薬剤が該液体出口管５２１から下方に一滴一滴落ちる際、該キャリア４１の片側上にぶつかり、該キャリア４１にてこの原理による揺れが生じ、該検知装置２０の間に間欠性の遮断効果が生じる。該キャリア４１と該槓桿構造４２の構造関係は必要に応じたデザインとするが、図３に示すように本考案では上蓋５２２下方よりT型桿４２１が延伸しており、且つ水平桿４２２が該４１上に設けられた左右対称の軸孔４１１上に穿設されており、該水平桿４２２が該キャリア４１が揺れる際、てこの支軸となる。該キャリア４１は適当な大きさのチップであり、該流量可視筒体５２内で揺れ、また該T型桿４２１は該流量可視筒体５２内の中心に位置しないことから、該水平桿４２２が形成するてこの支軸が中心より離れる。
また、該キャリア４１片側には加重物４１２を設けてもよく、こうすることで該水平桿４２２の両側に位置するキャリア４１の長さを違え、揺れないで水平な状態でバランスを保つ。該キャリア４１中心個所には凹型溝４１３を設け、該液体出口管５２１が下向きに滴り落ちる薬剤を受けるのに更に適した形状とする。該キャリア４１上には凸片４１４を設け、該キャリア４１が揺れる際、該T型桿４２１上にてストップするようにし、該キャリア４１の揺れ幅が大きすぎて垂直状態になってしまわないようにする。上述の構造中の該槓桿構造４２によるてこの支軸は水平桿４２２を枢軸としているが、実際はこれに限られず、両側に支軸があるものとして設計してもよく、該流量可視筒体５２内壁の二つの対応する点上にそれぞれ凸軸を設け、更に両側にはそれぞれ軸枠に対応したキャリアを該凸軸上に被せ、槓桿構造４２としてもよい。
【００１２】
使用時においては図４，５に示すごとく、先ず、まだ薬剤が該液体出口管５２１より滴り落ちていない際、該キャリア４１はバランスを保って水平状態を呈しており（図４参照）、該検知装置２０中の発信機２１と受信機２２との間には阻隔効果はない。このとき該アラーム装置３０内の電子コントロール回路はまだ駆動しない。
点滴を注射する速度は該流量調整コントローラ５４によって制御されるが、これにおいては一般では一分間に滴る回数を基にしており、たとえば一分間に六滴であるとか、八滴である等によって速度が決まる。よって点滴注射を開始すると、毎分に薬剤が滴る回数は流量調整コントローラ５４によって設定された後、該液体出口管５２１より下へと滴り落ち、該間欠性を以って滴り落ちる薬剤には能率を具有する、すなわち該キャリア４１の長い側にぶつかることで該キャリア４１の長い側を下方に傾ける（図５参照）。
このとき該キャリア４１は該発信機２１と該受信機２２の間で遮られており、該発信機２１が発する赤外線などの周波は受信されないで遮られてしまう。また一分に六滴、或いは八滴などと安定した速度で薬剤が滴り落ちるため、薬剤が一滴ずつ滴り落ちる合い間に適当な空き時間ができ、該キャリア４１が一滴の薬剤を受けて下向きに傾いた後、該滴り落ちた薬剤が同時に下向きに流れて該キャリア４１を離れ、該キャリア４１が薬剤によって力を受けていない状態では本来の水平の位置に戻る。
【００１３】
こうして該発信機２１と該受信機２２との間が遮断された状態に戻り、この繰り返しで一定の速度で間欠性を以って遮断され、該検知装置２０が開回路状態或いは閉回路状態となる。また電子コントロール回路の設置により、自動で一分間に薬剤が滴り落ちる数が計算される、或いは一分間の流量や速度が計算される。これが検知用設定値となり、該アラーム装置３０のモニタ３２上に映し出される。
一分間に滴り落ちる一定の回数や流量が検知されて設定された後、滴り落ちる薬剤の回数や量が該検知装置２０によって異常であると検知されたとき、たとえば患者が無意識のうちに該チューブ５３を圧迫していたり、該流量調整コントローラ５４が正常に働いていなかったりしたとき、或いは薬剤が全部使い終わってしまったときなどのために、異常な状態がある一定の時間継続しても正常な状態に戻らなかった場合には、電子コントロール回路を自動で該アラーム装置３０がアラームを鳴らすよう設定しておく。
【００１４】
このように、本考案の点滴は一分間に滴り落ちる回数や流量が設定され且つ検知されること、また該薬剤容器５１の薬剤の量が一般には標示されていることより、本考案では更に点滴をし始める際に点滴の終了する時間が予め予測され、この予測された時間を該アラーム装置３０内に入力する、或いはこれを該モニタ３２上に映し出すことにより、看護する人が同時に数人に点滴をする際にも、電子装置の予測により点滴が終わる時間が知らされて便利となる。
また該アラーム装置３０は該検知装置２０と連結されているが、その間に連結された導線連結は適当な長さに設定できるため便利であり、且つ該アラーム装置３０のアラーム機能はブザーや音声によるものとすること、或いはLEDや点滅するランプ、或いは赤外線伝送（IR）や無線伝送（RF）とし、更にアラームシグナルがその他のアラーム機やナースステーションに伝送されるようにすることで、更に病人の看護の効率を上げることができるようになる。
【図面の簡単な説明】
【００１５】
【図１】本考案の第一実施例における立体説明図である。
【図２】図１中の流量可視筒体内の構造の局部拡大説明図である。
【図３】図２中のキャリアにおける立体分解説明図である。
【図４】本考案において、薬剤がまだ滴り落ちていない際の側面図を示した図である。
【図５】本考案において、薬剤が滴り落ちた際の動作説明図である。
【符号の説明】
【００１６】
１０  挟持ホルダ
１１  クリップ
１２  円弧型挟持個所
１３  標示線
２０  検知装置
２１  発信機
２２  受信機
３０  アラーム装置
３１  スイッチ
３２  モニタ
４０  キャリア揺り動かし装置
４１  キャリア
４１１  軸孔
４１２  加重物
４１３  凹型溝
４１４  凸片
４２  槓桿構造
４２１  T型桿
４２２  水平桿
５０  薬剤注射装置
５１  薬剤容器
５２  流量可視筒体
５２１  液体出口管
５２２  上蓋
５３  チューブ
５４  流量調整コントローラ
５５  注射針
【図１】
0003100602.tif 000003
【図２】
0003100602.tif 000004
【図３】
0003100602.tif 000005
【図４】
0003100602.tif 000006
【図５】
0003100602.tif 000007